(57)【要約】  【課題】圧縮機を上方に載置し、最下方の貯蔵室の収納容積の増加と収納性を高めるとともに、圧縮機の上方取り付け作業が容易に行えることを目的とする。  【解決手段】断熱箱体３１と、天面後方に庫内側に凹ませて形成した上方と背方が開放した凹部５０と、天面と背面を覆うカバー１１２を備え、凹部５０には、冷凍サイクルの圧縮機５２と、圧縮機５２を緩衝材１１５を介して載置する載置板１１４とを備え、圧縮機５２は凹部５０の断熱材側に取付けられた載置板１１４に支持固定されて機械室に載置されることにより、最下段の貯蔵室の収納容積の増大、収納性を高めるとともに、圧縮機５２は、凹部５０に取り付けられた載置板１１４に直接支持固定するだけなので、圧縮機５２の載置板１１４への固定を容易に行うことができる。【選択図】図５
2008082606.tif 000002
【特許請求の範囲】
【請求項１】
外箱と内箱と前記外箱と前記内箱との間に設けた断熱材とよりなる断熱箱体において、前記断熱箱体の天面後方に庫内側に凹ませて形成した凹部と凹部を覆うカバーを備え、前記凹部には、冷凍サイクルの圧縮機と前記圧縮機を載置する載置板とを備えるもので、前記載置板は前記凹部の断熱材側に配置され、前記圧縮機は固定手段にて前記載置板に支持固定されることを特徴とする冷蔵庫。
【請求項２】
前記載置板は補強構造を有することを特徴とする請求項１に記載の冷蔵庫。
【請求項３】
前記載置板の補強構造は載置板全周の端面を折り返して形成したことを特徴とする請求項２に記載の冷蔵庫。
【請求項４】
前記載置板の補強構造は載置板の略中央付近に設けた凹みとしたことを特徴とする請求項２に記載の冷蔵庫。
【請求項５】
前記載置板は複数の突出するピンを有し、前記圧縮機は凹部の断熱材側から突出させた前記ピンに嵌め込まれた緩衝材を介して支持固定することを特徴とする請求項１から４のいずれか一項に記載の冷蔵庫。
【請求項６】
前記複数のピンの根元の周辺の載置板に凸部を設けたことを特徴とする請求項５に記載の冷蔵庫。
【発明の詳細な説明】
【技術分野】
【０００１】
本発明は、圧縮機を天面後方に載置した冷蔵庫に関するものである。
【背景技術】
【０００２】
近年、冷蔵庫は地球環境保護の観点から更なる省エネルギー化が進むとともに、小さく置けて大きく使える、いわば省スペースで大容量、さらにその使い勝手や収納性の向上が求められている。
【０００３】
従来技術には、小さく置けて大きくつかえる冷蔵庫を実現するために、凝縮器としての配管を断熱箱体の内部に配置させることで、収納容積に影響を与えないスペースをうまく活用する形態がある（例えば、特許文献１参照）。
【０００４】
図９、図１０で示すように、冷蔵庫本体１は外箱２と、内箱３と、これら両者間に充填された発泡断熱材４等で構成され、同本体１の底部に機械室８を設け、同機械室８内に圧縮機９と、同圧縮機９から発生する熱を放熱する送風機１０を配設し、機械室８の後面をカバー１５により被っていた。
【０００５】
また、内箱３内背面に冷却器室５を設け、同冷却器室５内に冷気を生成する冷却器６と、生成した冷気を強制循環する送風機７を配設し、圧縮機９の吐出側と冷却器６の入口との間に凝縮器を兼ねた放熱パイプ１１、キャピラリチューブ１２を順次直列に接続して構成した高圧側配管を接続し、冷却器６の出口と圧縮機９の吸入側との間に、キャピラリチューブ１２を添設するサクションパイプ１３を直列に接続して構成した低圧側配管を接続している。なお、前記凝縮器を兼ねた放熱パイプ１１は、冷蔵庫本体１背面の発泡断熱材４の中に埋設されている。
【０００６】
図１１はその冷凍サイクルを図に表したものであり、圧縮機９、放熱パイプ１１、キャピラリチューブ１２、冷却器６がサクションパイプ１３によって順次連結され環状の閉回路を形成されている。
【０００７】
上記構成において、冷却器６を通過した冷媒が圧縮機９において圧縮され、高温、高圧のガス状冷媒となる。このガス状冷媒が放熱パイプ１１により放熱し、中温、高圧の液状冷媒となる。続いて、この液状冷媒はキャピラリチューブ１２により減圧された後、冷却器６を通過しながら蒸発し、低温、低圧の冷媒ガスとなり、各区画室における熱交換機能を成している。この後、冷媒はガス状態で再び圧縮機９に吸入されることにより冷凍サイクルを完了するよう構成されている。
【特許文献１】特開２００２−３６４９７５号公報
【発明の開示】
【発明が解決しようとする課題】
【０００８】
しかしながら、上記従来の構成では、圧縮機を収納する機械室が冷蔵庫本体の底面後方に位置するため、最下段の貯蔵室の収納容積が小さく、また最上段の貯蔵室に手の届かない収納空間ができてしまうので、必ずしも収納性が良いというものではなかった。
【０００９】
また、底面後方に設置する圧縮機は、通常設置される背壁との隙間がほとんどない状態になると、圧縮機の排熱がうまくできなくて、非常に熱がこもりやすいという課題を有していた。
【００１０】
本発明は、上記従来の課題を解決するもので、最下段の貯蔵室の収納容積の増大、収納性を高めるとともに、圧縮機の組立作業性を高めた冷蔵庫を提供することを目的とする。
【課題を解決するための手段】
【００１１】
上記従来の課題を解決するために、本発明の冷蔵庫は、外箱と内箱と前記外箱と前記内箱との間に設けた断熱材とよりなる断熱箱体において、前記断熱箱体の天面後方に庫内側に凹ませて形成した凹部と凹部を覆うカバーを備え、前記凹部には、冷凍サイクルの圧縮機と前記圧縮機を載置する載置板とを備えるもので、前記載置板は前記凹部の断熱材側に配置され、前記圧縮機は固定手段にて前記載置板に支持固定するものである。
【００１２】
これにより、背伸びしても届かない無効スペースである最上段の貯蔵室の天面後方に圧縮機を載置することで、最下段の貯蔵室の収納容積の増大、収納性を高めるとともに、圧縮機を載置する載置板を前記凹部の断熱材側に配置することで、天面後方での圧縮機の固定作業を容易に行える。
【発明の効果】
【００１３】
本発明の冷蔵庫は、最下段の貯蔵室の収納容積の増大、収納性が高まり使い勝手が向上するとともに、重量のある圧縮機の載置板への固定作業を容易に行えることができ、組立性を向上することができる。
【発明を実施するための最良の形態】
【００１４】
請求項１に記載の発明は、外箱と内箱と前記外箱と前記内箱との間に設けた断熱材とよりなる断熱箱体において、前記断熱箱体の天面後方に庫内側に凹ませて形成した凹部と凹部を覆うカバーを備え、前記凹部には、冷凍サイクルの圧縮機と前記圧縮機を載置する載置板とを備えるもので、前記載置板は前記凹部の断熱材側に配置され、前記圧縮機は固定手段にて前記載置板に支持固定されるものであり、最下段の貯蔵室の収納容積の増大、収納性が高まり使い勝手が向上するとともに、重量のある圧縮機の載置板への固定作業を容易に行えることができ、組立性を向上することができる。
【００１５】
請求項２に記載の発明は、請求項１に記載の発明において、前記載置板は補強構造を有するものであり、天面後方に支持固定された重量のある圧縮機の取付け安定性を向上させることができる。
【００１６】
請求項３に記載の発明は、請求項２に記載の発明において、前記載置板の補強構造は載置板全周の端面を折り返して形成したものであり、載置板の剛性は高まり板厚を薄くすることができ、載置板の重量を軽くすることができる。
【００１７】
請求項４に記載の発明は、請求項２に記載の発明において、前記載置板の補強構造は載置板の略中央付近に設けた凹みとしたものであり、載置板の剛性は高まり板厚を薄くすることができ、載置板の重量を軽くすることができる。
【００１８】
請求項５に記載の発明は、請求項１から４のいずれか一項に記載の発明において、前記載置板は複数の突出するピンを有し、前記圧縮機は凹部の断熱材側から突出させた前記ピンに嵌め込まれた緩衝材を介して支持固定するものであり、容易な構造で圧縮機の載置板への騒音の伝播を抑えることができる。
【００１９】
請求項６に記載の発明は、請求項５に記載の発明において、前記複数のピンの根元の周辺の載置板に凸部を設けたので、載置板の剛性強化により、圧縮機の載置板への騒音の伝播をさらに確実に抑えることができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における冷蔵庫の正面図であり、図２は図１のＡ−Ａ断面図であり、図３は同実施の形態における冷蔵庫の冷媒配管構成図であり、図４は同実施の形態における冷蔵庫の凹部上面図であり、図５、図６（ａ）、図７（ａ）、図８（ａ）は同実施の形態における冷蔵庫へ取り付け後の圧縮機周辺の部分断面図であり、図６（ｂ）、図７（ｂ）、図８（ｂ）は同実施の形態における載置板の詳細図である。
【００２２】
図１から図５において、冷蔵庫本体３０は複数の断熱区画に区分されている断熱箱体３１と各断熱区画に設けられた扉にて構成されている。断熱箱体３１はＡＢＳなどの樹脂体を真空成型した内箱３２とプリコート鋼板などの金属材料を用いた外箱３３と凹部構成部材３４で構成された空間に発泡断熱材３５を注入してなる断熱壁を備えている。発泡断熱材３５はたとえば硬質ウレタンフォームやフェノールフォームやスチレンフォームなどが用いられる。発泡材としてはハイドロカーボン系のシクロペンタンを用いると、温暖化防止の観点でさらによい。
【００２３】
断熱箱体３１は、複数の貯蔵室を形成し、上から冷蔵室４０、製氷室４１、切替室４２、野菜室４３、冷凍室４４の構成となっていて、各貯蔵室を区画する複数の仕切壁４５ａ、４５ｂ、４５ｃ、４５ｄを備えている。例えば、仕切壁４５ｄは断熱された壁であり、野菜室４３と冷凍室４４を区画するものである。各断熱区画の前面開口には断熱扉が図示しないガスケットを介して設けられる。上から冷蔵室扉４０ａ、製氷室扉４１ａ、切替室扉４２ａ、野菜室扉４３ａ、冷凍室扉４４ａである。
【００２４】
次に、断熱箱体３１の各貯蔵室について説明する。
【００２５】
冷蔵室４０は冷蔵保存のために凍らない温度を下限に通常１〜５℃で設定されている。貯蔵室内は上方を圧縮機５２を収納するための凹部５０が突出して形成され、食品などを整理して収納するための複数の棚７０を設け、冷蔵室扉４０ａの内側にはペットボトルなどの飲料を収納できる複数のポケット７１を設けている。最下段には肉魚などの保鮮性向上のための貯蔵ケース７２を設け比較的低めの温度、たとえば−３〜１℃で設定されている。
【００２６】
製氷室４１は、氷を生成して貯留するために通常−２２〜−１８℃で設定される。庫内は氷を生成するための製氷皿を備えた製氷機構７３を設けていて、出来た氷を貯留する貯氷容器７４を収容し、レール（図示せず）などで手前に引き出せるよう構成されている。
【００２７】
切替室４２は、例えば約３℃に設定された冷蔵室、約１℃に設定されたチルド室、約−１℃から約−３℃に設定されたパーシャル室、約−７℃に設定されたソフト冷凍室、約−１８℃に設定された冷凍室として切り替えて利用される。
【００２８】
野菜室４３は、冷蔵室４０と同等もしくは若干高い温度設定の２℃〜７℃とすることが一般的で、低温にすれほど葉野菜の鮮度を長期間維持することが可能である。庫内は野菜などの食品を整理して収納できる野菜室容器７５を収容し、レール（図示せず）などで手前に引き出せるよう構成されている。
【００２９】
冷凍室４４は、冷凍保存のために通常−２２〜−１８℃で設定されているが、冷凍保存状態の向上のために、たとえば−３０や−２５℃の低温で設定されることもある。庫内は食品を整理して収納できる冷凍室容器７６を収容し、レール（図示せず）などで手前に引き出せるよう構成されている。
【００３０】
野菜室４３と冷凍室４４の背面に冷却室８０が設けられ、冷却室８０は断熱性を有する仕切壁４５ｅで野菜室４３及び冷凍室４４を仕切っている。また、野菜室４３と冷凍室４４は断熱性を有する仕切壁４５ｄで仕切られている。
【００３１】
冷却室８０には、庫内の空気を熱交換させて冷気に変換する蒸発器８３と、各貯蔵室に冷気を送るための冷却ファン８４をその上方に位置させ、冷却時に蒸発器８３に付着する霜を除霜するためのヒータなどで構成された除霜装置８５が備えられている。また、除霜された水を貯留するための蒸発皿８６は、断熱箱体３１の底面に配置されるよう構成されている。
【００３２】
このような冷蔵庫には、図３のように冷凍サイクルが設けられ、圧縮機５２内に封入された冷媒が冷凍サイクルを循環するよう構成される。以下、その冷凍サイクルについて説明する。
【００３３】
冷凍サイクルは、その全てが密閉空間で構成され、封入された冷媒を圧縮し冷凍サイクルへ高温高圧の冷媒を送り出す圧縮機５２、冷媒を放熱し中温高圧に凝縮液化させる凝縮器９１、ゴミや金属粉等を圧縮機５２へ戻さないための図示しないフィルターや、システム内の水分を吸着する図示しない吸着部材などを備えたドライヤ１０８、液化冷媒を減圧させる減圧装置１０９、冷媒を蒸発させて冷熱を発生させる蒸発器８３、蒸発器８３で気化した冷媒を圧縮機５２へと戻すための吸入配管１１０などから構成されて、それぞれが冷媒配管１１１により接続されている。
【００３４】
ここで圧縮機５２は、断熱箱体３１の天面部に背面側を一段低い段差状に窪ませた凹部５０に載置される。凹部５０は凹部構成部材３４によって形成された左右壁で囲われていて、断熱箱体３１の上方及び背方を開口するよう構成され、その開口はカバー１１２で覆われている。また、凹部５０の空間内の空気を循環させるための放熱ファン１１３を圧縮機５２と所定の間隔をとって、その側方へ横並びにして載置し、圧縮機５２に風を当てるような流れで循環し放熱を促進するよう配置されている。
【００３５】
次に圧縮機５２の取り付けについて以下説明をする。
【００３６】
圧縮機５２は凹部構成部材３４の断熱材側に載置板１１４を設置し、載置板１１４にゴム脚やバネ脚などの緩衝材１１５を介して載置され、緩衝材１１５は圧縮機５２の取り付け部１１６に嵌め込まれると共に、凹部５０上を動かない様に、載置板１１４にネジなどの取り付け部材１１７にて固定されている。
【００３７】
以上のように構成された冷蔵庫について、以下その作用について説明する。
【００３８】
まず、圧縮機５２を断熱箱体３１の最下方の貯蔵室である冷凍室４４の後方領域には配置せず、天面後方の凹部５０に載置することで、冷蔵室４０の使用者が手の届き難い、いわば無効スペースに近い空間を減らす代わりに、冷凍室４４の収納容積を増大し収納性を高めることができる。つまり、圧縮機５２を天面後方に位置させることは極めて冷蔵庫本体３０の内容積をうまく活用できることになる。ただし、圧縮機５２は重いため天面部での取り付け作業は困難であるが、本構成では凹部５０の断熱材側に取り付けられた載置板１１４に支持固定するものであり、圧縮機５２の取り付けはきわめて容易である。
【００３９】
また、載置板１１４は補強構造を持ち、さらに載置板１１４の端面全周に折り返し構造を付けることで、載置板の剛性は高まり板厚を薄くすることができ、載置板の重量を軽くすることができる。さらに、天面後方に支持固定された重量のある圧縮機の取付け安定性を向上させることができる。
【００４０】
また、図６に示すように、載置板１２０の中央付近に載置板凹部１２１を設けることで、載置板の剛性は高まり板厚を薄くすることができ、載置板の重量を軽くすることができる。さらに、天面後方に支持固定された圧縮機の取付け安定性を向上させることができる。
【００４１】
また、図７において載置板１２２は凹部構成部材３４の断熱材側に設置され、圧縮機５２は載置板１２２にゴム脚やバネ脚などの緩衝材１２３を介して載置され、緩衝材１２３は圧縮機５２の取り付け部１１６に嵌め込まれると共に、載置板１２２に取り付けられ、垂直上方へと突出した複数のピン部１２４にも嵌め込まれている。
【００４２】
以上のような構成において、複数のピン部１２４を設けることで、載置板１２２の剛性は高まり載置板１２２の板厚を薄くすることができ、載置板１２２の重量を軽くすることができる。さらに、載置板と圧縮機とは、ピンに嵌め込まれた緩衝材を介して支持固定されるもので、圧縮機の載置板への騒音の伝播は抑えることができる。さらに、天面後方に支持固定された重量のある圧縮機の取付け安定性を向上させることができる。
【００４３】
また、図８において載置板１２５は凹部構成部材３４の断熱材側に設置され、圧縮機５２は載置板１２５にゴム脚やバネ脚などの緩衝材１２６を介して載置され、緩衝材１２６は圧縮機５２の取り付け部１１６に嵌め込まれると共に、載置板１２５の凸部１２７に取り付けられ、垂直上方へと突出した複数のピン部１２８にも嵌め込まれている。
【００４４】
以上のような構成において、載置板１２５に複数のピン部１２８を設けることで、載置板１２５の剛性は高まり載置板１２５の板厚を薄くすることができ、載置板１２５の重量を軽くすることができる。また、凸部１２７は剛性を高める効果もあるため、緩衝材１２６が凸部１２７上に位置することにより、圧縮機５２の載置板１２５への騒音の伝播を抑えることができる。さらに、天面後方に支持固定された重量のある圧縮機の取付け安定性を向上させることができる。
【産業上の利用可能性】
【００４５】
以上のように、本発明にかかる冷蔵庫は、手の届かない位置である断熱箱体の天面凹部に圧縮機等の機能部品を収容することで、無効スペースを極力減少し、最下段の貯蔵室の収納容積を増大し冷蔵庫全体の収納性を高めるとともに、圧縮機の上方取り付け作業でも容易に行えることができるので、業務用の大型冷蔵庫および冷凍庫やショーケースといった冷凍機器にも適用できる。
【図面の簡単な説明】
【００４６】
【図１】本発明の実施の形態１における冷蔵庫の正面図
【図２】図１のＡ−Ａ断面図
【図３】同実施の形態における冷蔵庫の冷媒配管構成図
【図４】同実施の形態における冷蔵庫の凹部上面図
【図５】同実施の形態における冷蔵庫へ取り付け後の圧縮機周辺の部分断面図
【図６】（ａ）同実施の形態における冷蔵庫へ取り付け後の圧縮機周辺の部分断面図（ｂ）同実施の形態における載置板の詳細図
【図７】（ａ）同実施の形態における冷蔵庫へ取り付け後の圧縮機周辺の部分断面図（ｂ）同実施の形態における載置板の詳細図
【図８】（ａ）同実施の形態における冷蔵庫へ取り付け後の圧縮機周辺の部分断面図（ｂ）同実施の形態における載置板の詳細図
【図９】従来技術における冷蔵庫の断面図
【図１０】従来技術における冷蔵庫の背面斜視図
【図１１】従来技術における冷蔵庫の冷凍サイクル図
【符号の説明】
【００４７】
３０  冷蔵庫本体
３１  断熱箱体
３２  内箱
３３  外箱
５０  凹部
５２  圧縮機
１１２  カバー
１１５，１２３，１２６  緩衝材
１１４，１２０，１２２，１２５  載置板
１２１  載置板凹部
１２４，１２８  ピン
１２７  凸部
【図１】
2008082606.tif 000003
【図２】
2008082606.tif 000004
【図３】
2008082606.tif 000005
【図４】
2008082606.tif 000006
【図５】
2008082606.tif 000007
【図６】
2008082606.tif 000008
【図７】
2008082606.tif 000009
【図８】
2008082606.tif 000010
【図９】
2008082606.tif 000011
【図１０】
2008082606.tif 000012
【図１１】
2008082606.tif 000013